【手続補正書】
【提出日】平成26年5月23日(2014.5.23)
【手続補正１】
【補正対象書類名】特許請求の範囲
【補正対象項目名】全文
【補正方法】変更
【補正の内容】
【特許請求の範囲】
【請求項１】
所定条件が成立したことに基づいて、遊技者にとって有利な状態に制御する遊技機であって、
遊技媒体が進入可能な第１状態と当該遊技媒体が進入不能な第２状態とに変化する可変進入装置と、
前記可変進入装置に進入した前記遊技媒体を検出する検出手段と、
前記検出手段によって前記遊技媒体が検出されたときに、当該遊技媒体が前記可変進入装置に進入したことを示す進入データをセットする進入データセット手段と、
前記可変進入装置が前記第２状態であるときに、前記検出手段によって前記遊技媒体が検出されたか否かを判定する異常判定手段と、
前記異常判定手段によって前記遊技媒体が検出されたと判定されたことに基づいて、前記進入データセット手段によって設定された前記進入データをクリアする進入データクリア手段と、
前記可変進入装置が前記第１状態から前記第２状態に変化することに基づいて、所定のタイマをセットするタイマセット手段と、を備え、
前記進入データクリア手段は、前記タイマセット手段によってセットされた前記所定のタイマがタイムアウトした後に前記検出手段により前記遊技媒体が検出されたことにもとづいて前記進入データセット手段によりセットされた前記進入データをクリアし、
前記可変進入装置は、前記有利な状態に制御されている場合、前記有利な状態に制御されていない場合よりも、前記第１状態に変化しやすい、
ことを特徴とする遊技機。
【請求項２】
前記進入データがセットされていることに基づいて、所定処理を実行する所定処理実行手段をさらに備える、
ことを特徴とする請求項１に記載の遊技機。
【手続補正２】
【補正対象書類名】明細書
【補正対象項目名】０００９
【補正方法】変更
【補正の内容】
【０００９】
（１）上記目的を達成するため、本願発明に係る遊技機は、所定条件が成立したこと（例えばゲートスイッチ２１によって遊技球が検出されたこと、第１始動口スイッチ２２Ａによって遊技球が検出されたこと、あるいは、第２始動口スイッチ２２Ｂによって遊技球が検出されたこと）に基づいて、遊技者にとって有利な状態に制御する遊技機（例えばパチンコ遊技機１など）であって、遊技媒体（例えば遊技球など）が進入可能な第１状態（例えば開放状態など）と当該遊技媒体が進入不能な第２状態（例えば閉鎖状態）とに変化する可変進入装置（例えば普通可変入賞球装置６Ｂや特別可変入賞球装置７など）と、前記可変進入装置に進入した前記遊技媒体を検出する検出手段（例えば第２始動口スイッチ２２Ｂやカウントスイッチ２３など）と、前記検出手段によって前記遊技媒体が検出されたときに、当該遊技媒体が前記可変進入装置に進入したことを示す進入データをセットする進入データセット手段（例えばＣＰＵ１０３がステップＳ１７１〜Ｓ１７９の処理を実行する部分など）と、前記可変進入装置が前記第２状態であるときに、前記検出手段によって前記遊技媒体が検出されたか否かを判定する異常判定手段（例えばＣＰＵ１０３がステップＳ１８５の処理を実行する部分など）と、前記異常判定手段によって前記遊技媒体が検出されたと判定されたことに基づいて、前記進入データセット手段によって設定された前記進入データをクリアする進入データクリア手段（例えばＣＰＵ１０３がステップＳ１９０の処理を実行する部分など）と、前記可変進入装置が前記第２状態から前記第１状態に変化することに基づいて、所定のタイマをセットするタイマセット手段（例えばＣＰＵ１０３がステップＳ４５３の処理を実行する部分）と、を備え、前記進入データクリア手段は、前記タイマセット手段によってセットされた前記所定のタイマがタイムアウトした後に前記検出手段により前記遊技媒体が検出されたことにもとづいて前記進入データセット手段によりセットされた前記進入データをクリアし（例えばＣＰＵ１０３は、ステップＳ１８２の処理にてＹｅｓと判定された後に、ステップＳ１９０の処理などを実行する）、前記可変進入装置は、前記有利な状態に制御されている場合、前記有利な状態に制御されていない場合よりも、前記第１状態に変化しやすい、ことを特徴とする。
【手続補正３】
【補正対象書類名】明細書
【補正対象項目名】００１０
【補正方法】変更
【補正の内容】
【００１０】
（２）上記（１）に記載の遊技機において、前記進入データがセットされていることに基づいて、所定処理を実行する所定処理実行手段をさらに備える。
（３）上記（１）又は（２）に記載の遊技機において、前記所定のタイマがタイムアウトした後、最初に前記異常判定手段によって前記遊技媒体が検出されたと判定されたことに基づいて、再度前記所定のタイマをセットするタイマ再セット手段（例えばＣＰＵ１０３は、ステップＳ１８８の処理を実行する部分など）を含む。
【手続補正４】
【補正対象書類名】明細書
【補正対象項目名】００１１
【補正方法】変更
【補正の内容】
【００１１】
（４）上記（１）〜（３）のいずれかに記載の遊技機において、前記進入データクリア手段によって前記進入データがクリアされたときに、異常な進入が検出されたことを報知する異常進入報知手段（例えばＣＰＵ１０３がステップＳ１４の異常入賞報知処理を実行する部分や、演出制御用ＣＰＵ１２０がステップＳ４０６の報知制御処理を実行する部分など）をさらに備える。
【手続補正５】
【補正対象書類名】明細書
【補正対象項目名】００１２
【補正方法】変更
【補正の内容】
【００１２】
（５）上記（１）〜（４）のいずれかに記載の遊技機において、前記可変進入装置を含む複数の進入装置（例えば普通入賞球装置６Ａや、普通可変入賞球装置６Ｂ、特別可変入賞球装置７、普通入賞口５３ａ〜５３ｃなど）と、前記複数の進入装置のそれぞれに対応して設けられ、当該進入装置に進入した前記遊技媒体を検出して所定の検出信号を出力する複数の進入検出手段（例えばゲートスイッチ２１や、第１始動口スイッチ２２Ａ、第２始動口スイッチ２２Ｂ、カウントスイッチ２３、普通入賞口スイッチ５５ａ〜５５ｃなど）と、前記複数の進入検出手段からの複数の前記検出信号を入力する検出信号入力手段（例えば入力ポート１０５など）と、前記検出信号入力手段の入力状態を示す入力状態データを定期的に取得する入力状態データ取得手段（例えばＣＰＵ１０３がステップＳ１７５の処理を実行する部分など）と、前記入力状態データ取得手段によって異なるタイミングで取得された複数の前記入力状態データに基づいて、前記複数の進入検出手段による遊技媒体の検出結果を一括して判定する進入判定手段（例えばＣＰＵ１０３がステップＳ１７１〜Ｓ１７４、Ｓ１７６〜Ｓ１７９の処理を実行する部分など）と、をさらに備える。
【手続補正６】
【補正対象書類名】明細書
【補正対象項目名】００１３
【補正方法】変更
【補正の内容】
【００１３】
（６）上記（１）〜（５）のいずれかに記載の遊技機において、前記可変進入装置は、開閉羽根（例えば開閉羽根３０１ａ，３０１ｂなど）を開閉するためのプランジャ（例えばプランジャ５９ａなど）を有する電気的駆動部（例えば普通電動役物用ソレノイド５９など）と、前記プランジャに連係して駆動力を前記開閉羽根に伝達する伝達部材（例えば伝達部材３２０など）と、前記開閉羽根、前記電気的駆動部、及び前記伝達部材を支持する支持部材（例えば台板３００、支持部材３０３など）と、前記伝達部材を、前記開閉羽根を前記第１状態とする開放姿勢と前記開閉羽根を前記第２状態とする閉止姿勢との間で前記支持部材に対して回動可能に支持するための回動軸（例えば回転軸３２４など）と、前記伝達部材を回動可能に支持する回動位置（例えば普通可変入賞球装置６Ｂにおいては後端、普通可変入賞球装置６Ｂ’においては前端など）と前記伝達部材の回動が規制される規制位置（例えば普通可変入賞球装置６Ｂにおいては前端、普通可変入賞球装置６Ｂ’においては後端など）との間で、前記回動軸を前記プランジャの動作方向（例えば前後方向など）に対して相対移動可能に支持する軸受部（例えば軸受長孔３１３など）と、をさらに備え、前記電気的駆動部の第１動作に基づく前記プランジャの動作（例えば後退位置から突出位置への移動など）に応じて、前記回動位置に位置する前記回動軸を中心として、前記伝達部材が第１方向（例えば連係アーム３２１ａ，３２１ｂの先端が下方に移動する方向（図８（ａ）中反時計回り）など）に回転して前記開放姿勢から前記閉止姿勢となるとともに、当該閉止姿勢の状態で前記回動軸が前記回動位置から前記規制位置まで移動し、前記電気的駆動部の第２動作に基づく前記プランジャの動作（例えば突出位置から後退位置への移動など）に応じて、前記回動軸が前記規制位置から前記回動位置まで移動し、当該回動位置の前記回動軸を中心として、前記伝達部材が第２方向（例えば連係アーム３２１ａ，３２１ｂの先端が上方に移動する方向（例えば図８（ａ）中時計回り）など）に回転して前記閉止姿勢から前記開放姿勢となるように構成され、前記支持部材には、前記回動軸が前記規制位置に位置した状態において、前記伝達部材に当接して当該伝達部材の前記第２方向への回転を規制する回転規制部（例えば直線溝部３１６、上直線面３１６ａなど）が設けられており、前記伝達部材はガイド軸（例えば案内ピン３２６など）を有し、前記支持部材は前記ガイド軸が挿入されるガイド溝（例えば案内溝３１４など）を有し、前記ガイド溝は、前記回動軸が前記回動位置に位置している状態において前記ガイド軸が摺接して前記伝達部材を前記第１方向に回転させる円弧状の湾曲面（例えば上円弧面３１５ａなど）と、前記回動軸が前記規制位置に位置している状態における前記伝達部材の前記第１方向への回転を前記ガイド軸との当接により規制する前記回転規制部としての規制面（例えば上直線面３１６ａなど）と、を有する。
【手続補正７】
【補正対象書類名】明細書
【補正対象項目名】００１５
【補正方法】変更
【補正の内容】
【００１５】
上記（１）に記載の遊技機によれば、不正対策を確保しつつ、遊技者に不利益を与えてしまうといったことを防止することができる。
【手続補正８】
【補正対象書類名】明細書
【補正対象項目名】００１６
【補正方法】変更
【補正の内容】
【００１６】
上記（３）に記載の遊技機において、所定のタイマがタイムアウトした後、最初に異常判定手段によって遊技媒体が検出されたと判定された場合には、タイマ再セット手段によってタイマセット手段によって再度所定のタイマがセットされることにより、球噛したときなどに、遊技媒体の進入が無効となって、遊技者に不利益を与えてしまうといったことを防止することができる。
【手続補正９】
【補正対象書類名】明細書
【補正対象項目名】００１７
【補正方法】変更
【補正の内容】
【００１７】
上記（４）に記載の遊技機において、進入データクリア手段によって進入データがクリアされたときには、異常進入報知手段によって異常な進入が検出されたことが報知されることにより、異常な状態が発生したことを遊技店の店員に認識させることができる。
【手続補正１０】
【補正対象書類名】明細書
【補正対象項目名】００１８
【補正方法】変更
【補正の内容】
【００１８】
上記（５）に記載の遊技機においては、入力状態データ取得手段によって検出信号入力手段の入力状態を示す入力状態データが定期的に取得される。そして、進入判定手段は、入力状態データ取得手段によって異なるタイミングで取得された複数の入力状態データに基づいて、複数の進入検出手段による遊技媒体の検出結果を一括して判定する。このように、複数の進入検出手段による遊技媒体の検出結果を一括して判定することにより、複数の進入検出手段毎に遊技媒体の検出結果を判定したり、検出信号入力手段をマスクして検出手段からの検出信号が入力されないようにしたりして、可変進入装置が第２状態であるときに、進入データがセットされないようにするためのプログラムを設ける必要がなくなるため、プログラム構成の複雑化により処理負担が増大することを防止することができる。
【手続補正１１】
【補正対象書類名】明細書
【補正対象項目名】００１９
【補正方法】変更
【補正の内容】
【００１９】
上記（６）に記載の遊技機によれば、プランジャの第１動作及び第２動作が伝達部材の回動力に変換されるとともに、当該伝達部材の回動力が開閉羽根の回動力に変換され、当該開閉羽根が開放状態と閉止状態との間で回動される。伝達部材は、プランジャの第２動作に応じて回動軸が移動して回動位置に位置することで回転規制部による規制が解除され、第２方向に回転して閉止姿勢から開放姿勢となることで、開閉羽根が開放状態となる。また、プランジャの第１動作に応じて、第１方向に回転して開放姿勢から閉止姿勢となった後、回動軸が移動して規制位置に位置することで第２方向への回転が回転規制部により当接規制され、開閉羽根を強制的に回動させて開放状態とすることができなくなるため、針金等の不正部材により開閉羽根を不正に開放して遊技球を進入させるといった不正行為等を極力防止することができる。
また、開閉羽根が閉止状態に位置している状態において、伝達部材の第２方向への回転が、開閉羽根、電気的駆動部、伝達部材を支持する構造的に強固な支持部材に形成された回転規制部にて規制されることで、開閉羽根に加わる負荷が伝達部材を介してプランジャに直接伝達されることがなく、これにより電気的駆動部が保護されるので故障しにくくなる。
さらに、ガイド軸とガイド溝とにより、伝達部材が回動及びプランジャの動作方向に移動自在にガイドされるため、伝達部材の回動とプランジャの動作方向への移動、及びこれら回動とプランジャの動作方向への移動との切り替えが確実に行われる。